(57)【要約】  本発明は、たとえば大砲装薬における、幾つかに分かれた弾薬（１）用の結合機構に関する。少なくとも２つの軸方向に相前後して配置され、互いに結合可能な、発射薬ジャケット（１０）の部分ジャケット（２）を有する幾つかに分かれた弾薬（１）を、簡単な差込み結合を用いて結合することが提案され、その場合に部分ジャケット（２）がその互いに向き合う前側ないし後側にテーパ（３）ないし対応する開口部（４）を有しており、かつテーパ（３）および／または開口部（４）の内壁（７）が隆起部（６）を有しているので、差し嵌めることによって互いに力結合で結合可能である。【選択図】図１ｃ
2008542679.tif 000002
【特許請求の範囲】
【請求項１】
少なくとも２つの、軸方向に相前後して配置されて、互いに結合可能な、発射薬（１０）の部分ジャケット（２）を有する、幾つかに分かれた弾薬（１）であって、
前記部分ジャケット（２）がその互いに向き合う前側ないし後側にテーパ（３）ないし対応する開口部（４）を有しており、かつ前記テーパ（３）および／または開口部（４）の内壁（７）が隆起部（６）を有しているので、差し嵌めることによって互いに力結合で（kraftschluessig）結合可能である、
幾つかに分かれた弾薬。
【請求項２】
前記隆起部（６）は、係止プロフィール（８）を形成し、前記係止プロフィールがこの隆起部（６）の形状、深さ、長さおよび数によって可変であることを特徴とする、請求項１に記載の幾つかに分かれた弾薬。
【請求項３】
前記隆起部（６）の配置が、工具構造における必要な特性に応じて形成することができることを特徴とする、請求項１または２に記載の幾つかに分かれた弾薬。
【請求項４】
結合ゾーン（５）の内部の周面に配分された前記隆起部（６）は、前記結合ゾーン（５）の残余の材料の密度よりも小さい材料密度を有していることを特徴とする、請求項１から３のいずれか１項に記載の幾つかに分かれた弾薬。
【請求項５】
前記係止プロフィール（８）は、前記結合領域（５）の少なくとも部分領域内に設けられていることを特徴とする、請求項１から４のいずれか１項に記載の幾つかに分かれた弾薬。
【請求項６】
前記係止プロフィール（８）は、少なくとも部分的に周面に設けられていることを特徴とする、請求項１から５のいずれか１項に記載の幾つかに分かれた弾薬。
【請求項７】
前記隆起部（６）は、それが前記テーパ（３）にも内壁（７）にも設けられている場合には、前記部分ジャケット（２）を嵌め合わせた場合に直接対向せず、互いに変位していることを特徴とする、請求項１から６のいずれか１項に記載の幾つかに分かれた弾薬。
【請求項８】
前記隆起部（６）は、それが前記テーパ（３）にも内壁（７）にも設けられて、互いに重なって係合する場合に、それぞれ対向する前記隆起部（６）の高さだけ減少され、合計において、必要な保持力をもたらす、必要な前記隆起部（６）が形成されることを特徴とする、請求項１から７のいずれか１項に記載の幾つかに分かれた弾薬。
【請求項９】
前記結合領域（５）内で、壁厚が著しく減少されていることを特徴とする、請求項１から８のいずれか１項に記載の幾つかに分かれた弾薬。
【発明の詳細な説明】
【技術分野】
【０００１】
本発明は、たとえば大砲装薬における、幾つかに分かれた弾薬用の結合装置に関する。
【背景技術】
【０００２】
大砲装薬は、個々の装薬コンポーネントとして、あるいは幾つかに分かれた装薬コンポーネントとしてまとめて、砲身兵器へ供給することができる。弾薬は、ジャケット部分からなり、その壁は通常燃焼可能な材料から形成される。幾つかに分かれた構造または所望の装薬量は、個別装薬ないし部分ジャケットを寄せ集めてねじることによって形成される。結合された部品は、移送し、保管容器または移送容器から取り出す場合、あるいは装填プロセスの間、良好に結合されていなければならない。
【０００３】
独国特許第100 31 588 C2号明細書からは、この種の結合種類が知られており、それにおいては部分ジャケットの、互いに向き合う端面にバヨネット結合部材の結合部分が設けられている。
【０００４】
米国特許第3,504,628号明細書においても、まとめ合わせることは、個別装薬を寄せ集めてねじることによって行われる。
【０００５】
２つの部分から構成された発射薬の間の差込み結合を開示しているのは、独国特許第695 00 620 T2号明細書（欧州特許第0 752 090 B1号明細書）である。この押し嵌め結合装置は、少なくとも１対の結合部材からなり、その各々が第１のジャケットを備えた第１の結合部材と、軸方向の突出部を有する第２の結合部材とを有している。この突出部は、寄せ集めることによって第１のジャケットと相補的に係合して押し嵌め結合を形成する。
【０００６】
独国特許第696 06 954 T2号明細書（欧州特許第0 775 887 B1号明細書）は、爆発性装薬を有するバッグのための保持装置を記述している。その場合に、保持装置は、ばらばらのあるいは束ねられた装薬粉末の内部に設けられたケース自体によって支持される。その場合に、保持装置は、周面側においてケースの回りに添接する。実施例に記述されている保持装置の隆起部が、保持装置とケースの間の結合手段として用いられる。
【０００７】
独国特許第197 49 486 A1号明細書は、可燃の発射薬ジャケットの管部分の結合を、それらの部分の取り外しできないスナップ結合を介して実現している。管部分は、結合の領域内で軸方向に、４つの長手部分を有しており、それらは互いに対してそれぞれ９０°の角度で配置されている。
【０００８】
独国特許第70 00 615 U号明細書も、部分薬筒からなる容器を開示しており、この薬筒は、閉鎖された側にテーパを有している。その中へ、それぞれ次の薬筒が、壁延長によって差し嵌め可能ないしそれから取り外し可能である。
【発明の開示】
【発明が解決しようとする課題】
【０００９】
本発明の課題は、移送し、保管容器または移送容器から取り出す場合、および装填プロセスの間良好な結合を維持する、簡単な結合機構による、分割可能な（モジュール状の）装薬を提供することである。
【課題を解決するための手段】
【００１０】
この課題は、特許請求項１の特徴によって解決される。好ましい形態が、従属請求項に記載されている。
【００１１】
本発明は、差込みゾーン内で少なくとも部分装薬ジャケット上に係止部ないし隆起部を有する、簡単な差込み機構によって結合を実現する、という考えに基づいている。その場合にこの係止部ないし隆起部は、比較的柔らかく、部分ジャケットを差し嵌めあるいは分離する際に予め定められた、規定可能な圧力を受けて撓む。この理由から、隆起部は、残余の材料の密度とは異なる材料密度を有する。隆起部は、部分装薬を差し嵌める場合に係合し、ないしは前方ないし後方の部分装薬の対応する差込みゾーン内へ嵌入する。
【００１２】
隆起部は、一方では、差込みゾーンの領域内で発射薬ジャケットの外側のテーパの周面またはジャケットの内壁の領域に設けることができ、その場合に代替的に隆起部を両方の幾何学配置に設けることも可能である。その場合には、隆起部は直接対向せず、互いに変位していることが好ましいが、これは必ずしも必要ではない。それに対して隆起部が互いに重なって係合する場合には、隆起部はそれぞれ対向する隆起部の高さだけ減少されるので、合計において必要な隆起が形成され、かつ必要な保持力がもたらされる。
【００１３】
好ましい形態において、プレス父型上の、水分を排除するために必要な開口部、開放した、細くなっていない端部に形成される隆起部が使用される。この隆起部が、後に結合箇所として設けられる差込みゾーンにおいて保持機能を引き受ける。
【００１４】
本発明の展開において、隆起部の配置は、工具構造における必要な特性に応じて形成することができる。これが、差し嵌める場合の保持力と分離する場合の抵抗力を定めることも可能にする。
【００１５】
たとえば、工具摩耗によってもたらされる、形成された型部分における寸法の予想される変動および変化にもかかわらず、この結合方法によって、固定した取付けが保証される。これが、工具のより長い利用を可能にする。
【００１６】
この隆起部の形状、深さ、長さおよび数における適合、すなわち係止プロフィールの変形によって、マルチ機能を得ることができる。この変形例は、十分に良好な保持力の他に、部分装薬内に付加装薬を挿入することを可能にする。さらに、保持力は、それぞれの装薬重量に適合させることができる。
【００１７】
隆起部は、ジャケットの構成部分とし、あるいは他の処理ステップにおいて設けることもできる。
【００１８】
幾つかに分かれた装薬構造において、結合箇所ないし結合ゾーン内で、壁厚が著しく減少され、装填室内の完全に燃焼されない材料の減少に寄与することができ、少なくとも残留物挙動を改良する。
【００１９】
従って装填量の変更は、個別段階を分離することによって、補助手段なしでその場で、いつでも影響ないしは差込み能力と保持力を損なうことなしに、行うことができる。
【発明を実施するための最良の形態】
【００２０】
図面を有する実施例を用いて、本発明を詳細に説明する。
【００２１】
図１は、幾つかに分かれた弾薬１を示しており、この弾薬は少なくとも２つの互いに相前後して配置されて、互いに結合可能な、発射薬ジャケット１０の部分ジャケット２を有している。部分ジャケット２は、前側または後側の周面にテーパ３を有しており、その場合に対向して前側または後側に開口部４が設けられているので、前側にテーパが設けられ、反対側の端部に張出しが設けられるか、あるいはその逆となる。これら２つの幾何学配置を介して、部分ジャケット２をそれぞれ差し嵌めてまとめることができる。符号５は、部分ジャケット２の差込みゾーンないし結合ゾーンを示している。図１ａと１ｂに示すように、結合ゾーン５の内部の周面に隆起部６が配分されており、その隆起部の材料密度は結合ゾーン５内の残余の材料の材料密度よりも小さい。隆起部６は、細長く、かつ差込み方向ないし結合方向へ向けられている。
【００２２】
差し嵌めるために隆起部６が、前の、あるいは後続の部分ジャケット２の開口部４の内壁７に係合する。その場合に隆起部６は、内壁７に対して押圧され、その固有の弾性によって必要な結合力ないし必要な固定をもたらす。
【００２３】
図１ｂに詳細に示す好ましい変形例ないし実施形態において、隆起部６ないし係止プロフィール８を、開口部４の内壁７に形成することもできる。代替的に、２つの形態の組合せも可能である。
【００２４】
部分ジャケット２をつなぎ合わせるため、かつ分離するためにもたらすべき圧力は、ジャケット２を付加的な補助手段なしで、手で分離可能または差し嵌め可能である程度に小さいが、移送し、保管容器または移送容器から取り出す場合、かつ装填プロセスの間は良好な結合を維持する。
【図面の簡単な説明】
【００２５】
【図１】図１は、幾つかに分かれた装薬のジャケット部分を断面で示している。
【図１ａ】図１ａは、図１の部分Ａを拡大して示している。
【図１ｂ】図１ｂは、図１ａの方向Ｂに見た上面を示している。
【図１ｃ】図１ｃは、図１の部分Ｃを他の変形例と共に拡大して示している。
【図１】
2008542679.tif 000003
【図１ａ】
2008542679.tif 000004
【図１ｂ】
2008542679.tif 000005
【図１ｃ】
2008542679.tif 000006
【国際調査報告】
2008542679.tif 000007
2008542679.tif 000008
2008542679.tif 000009
2008542679.tif 000010
2008542679.tif 000011
2008542679.tif 000012